(57)【要約】【課題】衣服を再利用するために反毛作業を行うに際してはボタンは予め人の手により取り除いて置く必要があるが、その作業がなかなか困難な作業であると共に取り忘れがあって残っていたりすることがあり、その場合、後の機械による反毛作業に支障をきたしたり、また、反毛中に不純物が混入してしまうことになるという問題がある。【解決手段】取り付ける衣服と同じ素材もしくは材質による平紐状体を所望の長さに折り畳むように複数回巻き、その一端を畳まれた中に納め、外側の他端は糸で周面に縫い付け、その長さ方向の中程を衣服に糸で縫い付けて取り付けてボタンとすることを特徴とする。【選択図】　　　　図１
2004065306.tif 000002
【特許請求の範囲】
【請求項１】
平紐状体を所望の長さに折り畳むように複数回巻き、その一端を畳まれた中に納め、外側の他端は糸で周面に縫い付け、その長さ方向の中程を衣服に糸で縫い付けて取り付けたことを特徴とするボタン。
【請求項２】
平紐状体を所望の長さに折り畳むように複数回巻き、その一端を畳まれた中に納め、外側の他端は糸で周面に縫い付け、その長さ方向の中程を糸によって縫い付けて縫い付け部とし、これによってボタン本体を構成し、そのボタン本体を縫い付け部で衣服に糸で縫い付けて取り付けることを特徴とするボタン。
【請求項３】
請求項１および請求項２において、取り付ける衣服と同じ材質としたことを特徴とするボタン。
【発明の詳細な説明】
【０００１】
【発明の属する技術分野】
本発明は、衣服のボタンに係るもので、特にユニフォーム、作業服、Ｙシャツ、ブラウスおよび子供服等に適するボタンに関する。
【０００２】
【従来の技術】
例えば、綿１００％の白衣等の使用限度がきたユニフォームは大量に排出され、それらの素材はリサイクルして使用されることになる。
【０００３】
【発明が解決しようとする課題】
このように衣類をリサイクルする場合、リサイクルされる商品を繊維状に細かくして再度綿の状態（反毛という。）に戻す作業を行うが、その作業は機械化されている。
そのために、反毛作業を行うに際してはボタンは予め人の手により取り除いて置く必要があるが、その作業がなかなか困難な作業であると共に取り忘れがあって残っていたりすることがあり、その場合、後の機械による反毛作業に支障をきたしたり、また、反毛中に不純物が混入してしまうことになるという問題がある。
【０００４】
【課題を解決するための手段】
そこで本発明は、平紐状体を所望の長さに折り畳むように複数回巻き、その一端を畳まれた中に納め、外側の他端は糸で周面に縫い付け、その長さ方向の中程を衣服に糸で縫い付けて取り付けてボタンとすることを特徴とする。
また、平紐状体を所望の長さに折り畳むように複数回巻き、その一端を畳まれた中に納め、外側の他端は糸で周面に縫い付け、その長さ方向の中程を糸によって縫い付けて縫い付け部とし、これによってボタン本体を構成し、そのボタン本体を縫い付け部で衣服に糸で縫い付けて取り付けることを特徴とする。
【０００５】
なお、上記各構成において、その材質（本発明では素材を含む概念である。）を取り付ける衣服と同じものにしておくと、反毛作業時に具合がよい。
【０００６】
【発明の実施の形態】
以下に本発明の実施の形態例を図面を用いて説明する。
第１実施の形態例
図１は折り畳んだ状態の説明図、図２は衣類に取り付けた状態の説明図である。
【０００７】
図において、１はボタンである。このボタン１は、取り付ける衣服と同じ材質による平組紐等の平紐状体２を所望の長さＳになるように折り畳むように複数回巻き、その一端は畳まれた中に納め、外側の他端はほつれないように糸３で周面に縫い付けておくとよい。
なお、上記の長さＳはボタンの大きさとなるものであり、適宜に決められる。また、折り畳むようにして巻く回数は平紐状体２の厚さや衣服の使用目的等の条件に応じて決めればよい。
【０００８】
このようにしたボタン１を、その長さＳの一般には中程を幅方向にわたって直接衣服４に縫い付けて取り付ける。強度を考慮してかんぬきどめで取り付けるとよい。
なお、この取り付けの際に、内側にある端部は長さ方向の端部に位置させ自由な状態でもよく、また、中程に位置させて縫い付けに際してその縫い付け糸によって縫い付けてもよく、さらには、その他任意の位置でもよい。内側の端部は一般にはかがらなくてもほつれるおそれはないが、もし、ほつれ易いような織り方であった場合にはかがっておく。
【０００９】
なお、上記構成では、平紐状体２は平紐を用いて説明したが、必ずしも平紐でなくてもよく、例えば布を折り畳んで平紐状にしたものも同様の概念として使用することができる。
また、材質は必ずしも取り付ける服地と同じ材質でなくてもよいが、同じ材質であると反毛作業時に具合がよい。
【００１０】
このような構成によると、取り付けられたボタン１は通常のボタンと同様に使用でき、反毛作業に際しては、そのボタン１を予め取り除いておく必要はなく、そのまま反毛作業が行えることになる。
第２実施の形態例
図３はボタン本体の説明図、図４は衣類に取り付けた状態の説明図である。
【００１１】
本実施の形態例のボタンは、上記の第１実施の形態例と同様のボタン１であり、取り付ける衣服と同じ材質による平組紐等の平紐状体２を所望の長さＳになるように折り畳むように複数回巻き、その一端は畳まれた中に納め、外側の他端はほつれないように糸３で周面に縫い付けておくとよい。
そこでさらに、この長さＳの一般には中程を幅方向にわたって糸によって縫い付けて縫い付け部５とし、これによってボタン本体６を構成する。この場合も、かんぬきどめにしておくとよい。
【００１２】
このボタン本体６においても、平紐状体２は平紐を用いて説明したが、必ずしも平紐でなくてもよく、例えば布を折り畳んで平紐状にしたものも同様の概念として使用することができる。
このようにしたボタン本体６を、その縫い付け部５で衣服４に糸７で縫い付けて取り付けることができる。この縫い付け方法はどのような方法でもよい。
【００１３】
このように予めボタン本体を単体として完成させておくことにより、容易に衣服に取り付けることができることになる。
なお、本実施の形態例においても、材質は必ずしも取り付ける服地と同じ材質でなくてもよいが、同じ材質であると反毛作業時に具合がよい。
【００１４】
【発明の効果】
以上詳細に説明した本発明によると、取り付ける衣服と同じ材質による平紐状体を所望の長さになるように折り畳むように複数回巻き、その一端は畳まれた中に納め、外側の他端は糸で周面に縫い付け、その長さ方向の中程を直接衣服に糸で縫い付けて取り付けたことにより、反毛作業に際して事前にボタンを取り外して置くような作業がなくなり、かつ、反毛中に不純物が混合するようなこともなくなる効果を有する。
【００１５】
また、取り付ける衣服と同じ材質による平紐状体を所望の長さになるように折り畳むように複数回巻き、その一端は畳まれた中にあり、外側の他端はほつれないように糸で周面に縫い付け、その長さ方向の一般には中程を縫い付けてボタン本体を構成し、予めボタン本体を単体として完成させておくことにより、上記効果に加えてさらに容易にボタン付けを行うことができる効果を有する。
【図面の簡単な説明】
【図１】平紐状体を折り畳んだ状態の説明図
【図２】衣服に取り付けた状態の説明図
【図３】第２実施の形態例の説明図
【図４】衣服に取り付けた状態の説明図
【符号の簡単な説明】
１　ボタン
２　平紐状体
３　糸
４　衣服
５　縫い付け部
６　ボタン本体
７　糸
【図１】
2004065306.tif 000003
【図２】
2004065306.tif 000004
【図３】
2004065306.tif 000005
【図４】
2004065306.tif 000006